(57)【要約】【課題】音楽再生時の付加機能の１つとして音楽に合わせた画像を表示する機能を有する装置において再生時の情報処理量を削減しつつ、より複雑な画像処理を可能にする。【解決手段】従来のように音楽データの再生処理とともに音楽データを分析するのではなく、音楽データをオーディオデータ記録再生装置１内のＨＤＤ１４に音楽コンテンツファイルとして蓄積する際、音楽データ分析情報を作成して分析情報記憶部１６に記憶することにより、音楽に同期した画像を生成して再生するときの情報処理量を削減する。この音楽データ分析情報には、楽曲のテンポ（ＢＰＭ）、楽曲中の小節の変わり目等の時間的特徴位置（キーポイント）、ベースラインやシンバルのような特徴的な周波数情報等が含まれており、この音楽データ分析情報は、予め分析して用意し、ネットワーク３等を利用して音楽配信を行う場合には、音楽ファイルとともに配布することもできる。【選択図】図１
2005122664.tif 000002
【特許請求の範囲】
【請求項１】
音楽データを入力する入力手段と、
上記入力した音楽データを分析して音楽データ分析情報を抽出する音楽データ分析手段と、
上記音楽データを蓄積する音楽データ蓄積手段と、
上記音楽データより抽出された音楽データ分析情報を記憶する分析情報記憶手段と
を備えることを特徴とするオーディオデータ記録装置。
【請求項２】
記録媒体に記録された音楽データを再生する再生手段を備え、
上記音楽データ分析手段は、上記再生手段にて再生される音楽データから音楽データ分析情報を抽出することを特徴とする請求項１記載のオーディオデータ記録装置。
【請求項３】
ネットワークに接続するネットワーク接続手段を備え、
上記音楽データ分析手段は、上記ネットワーク接続手段から受信した音楽データから音楽データ分析情報を抽出することを特徴とする請求項１記載のオーディオデータ記録装置。
【請求項４】
上記音楽データ分析手段は、音楽のテンポ、小節区切り、時間的区切り、及び特徴的な周波数情報の少なくとも１つを含む音楽データ分析情報を抽出することを特徴とする請求項１記載のオーディオデータ記録装置。
【請求項５】
上記音楽データ分析手段は、上記音楽データに時間的区切り位置及び特徴周波数位置に指標となる情報を付加して上記分析情報記憶手段に記憶することを特徴とする請求項１記載のオーディオデータ記録装置。
【請求項６】
音楽データを蓄積する音楽データ蓄積手段と、
上記音楽データより抽出された音楽データ分析情報が記憶された分析情報記憶手段と、
上記音楽データを再生する音楽データ再生手段と、
上記音楽データに合わせて画像を表示する画像表示処理手段と、
上記音楽データ分析情報に応じて上記画像の画像情報を変化させる画像再生制御手段と
を備えることを特徴とするオーディオデータ再生装置。
【請求項７】
上記音楽データ分析手段は、音楽のテンポ、小節区切り、時間的区切り、及び特徴的な周波数情報の少なくとも１つを含む音楽データ分析情報を抽出することを特徴とする請求項６記載のオーディオデータ再生装置。
【請求項８】
上記音楽データ分析手段は、上記音楽データに時間的区切り位置及び特徴周波数位置に指標となる情報を付加して上記分析情報記憶手段に記憶させることを特徴とする請求項６記載のオーディオデータ再生装置。
【請求項９】
音楽データ及び該音楽データを分析して得られた音楽データ分析情報を入力する入力手段と、
上記音楽データを再生する音楽データ再生手段と、
上記音楽データに合わせて画像を表示する画像表示処理手段と、
上記音楽データ分析情報に応じて上記画像の画像情報を変化させる画像再生制御手段と
を備えることを特徴とするオーディオデータ再生装置。
【請求項１０】
ネットワークに接続するネットワーク接続手段を備え、
上記音楽データ及び音楽データ分析情報は、ネットワークを介して取得されることを特徴とする請求項９記載のオーディオデータ再生装置。
【請求項１１】
音楽データを入力する入力手段と、
上記入力した音楽データを分析して音楽データ分析情報を抽出する音楽データ分析手段と、
上記音楽データを蓄積する音楽データ蓄積手段と、
上記音楽データより抽出された音楽データ分析情報を記憶する分析情報記憶手段と、
上記音楽データを再生する音楽データ再生手段と、
上記音楽データに合わせて画像を表示する画像表示処理手段と、
上記音楽データ分析情報に応じて上記画像の画像情報を変化させる画像再生制御手段と
を備えることを特徴とするオーディオデータ記録再生装置。
【請求項１２】
記録媒体に記録された音楽データを再生する再生手段を備え、
上記音楽データ分析手段は、上記再生手段にて再生される音楽データから音楽データ分析情報を抽出することを特徴とする請求項１１記載のオーディオデータ記録再生装置。
【請求項１３】
ネットワークに接続するネットワーク接続手段を備え、
上記音楽データ分析手段は、上記ネットワーク接続手段から受信した音楽データから音楽データ分析情報を抽出することを特徴とする請求項１１記載のオーディオデータ記録再生装置。
【請求項１４】
上記音楽データ分析手段は、音楽のテンポ、小節区切り、時間的区切り、及び特徴的な周波数情報の少なくとも１つを含む音楽データ分析情報を抽出することを特徴とする請求項１１記載のオーディオデータ記録再生装置。
【請求項１５】
上記音楽データ分析手段は、上記音楽データに時間的区切り位置及び特徴周波数位置に指標となる情報を付加して上記分析情報記憶手段に記憶させることを特徴とする請求項１１記載のオーディオデータ記録再生装置。
【請求項１６】
音楽データを入力する入力工程と、
上記入力した音楽データを分析して音楽データ分析情報を抽出する音楽データ分析工程と、
上記音楽データを音楽データ蓄積手段に蓄積する音楽データ蓄積工程と、
上記音楽データより抽出された音楽データ分析情報を分析情報記憶手段に記憶する記憶工程と
を有することを特徴とするオーディオデータ記録方法。
【請求項１７】
音楽データ蓄積手段に蓄積された音楽データを再生する工程と、
上記再生される音楽データに合わせて画像を表示する画像表示工程と、
上記音楽データより抽出され分析情報記憶手段に記憶された音楽データ分析情報に応じて上記画像の画像情報を変化させる画像再生制御工程と
を有することを特徴とするオーディオデータ再生方法。
【請求項１８】
音楽データと該音楽データを分析して得られた音楽データ分析情報とを入力する入力工程と、
上記音楽データを再生する音楽データ再生工程と、
上記音楽データに合わせて画像を表示する画像表示工程と、
上記音楽データ分析情報に応じて上記画像の画像情報を変化させる画像再生制御工程と
を有することを特徴とするオーディオデータ再生方法。
【請求項１９】
音楽データを入力する入力工程と、
上記入力した音楽データを分析して音楽データ分析情報を抽出する音楽データ分析工程と、
上記音楽データより抽出された音楽データ分析情報を分析情報記憶手段に記憶する記憶工程と、
上記音楽データを音楽データ蓄積手段に蓄積する音楽データ蓄積工程と、
上記音楽データを再生する音楽データ再生工程と、
上記音楽データに合わせて画像を表示する画像表示工程と、
上記音楽データ分析情報に応じて上記画像の画像情報を変化させる画像再生制御工程と
を有することを特徴とするオーディオデータ記録再生方法。
【発明の詳細な説明】
【技術分野】
【０００１】
本発明は、オーディオデータ記録装置、オーディオデータ再生装置、及びオーディオデータ記録再生装置、並びにオーディオデータ記録方法、オーディオデータ再生方法及びオーディオデータ記録再生方法に関し、音楽再生時の付加機能として音楽に合わせてグラフィックを表示する機能を備えたオーディオデータ記録装置、オーディオデータ再生装置、及びオーディオデータ記録再生装置、並びにオーディオデータ記録方法、オーディオデータ再生方法及びオーディオデータ記録再生方法に関する。
【背景技術】
【０００２】
ディジタル化技術の普及に伴い、音楽データ、映像データ等からなる各種コンテンツデータがディジタル的に記録媒体に記録又は再生されるようになってきた。パーソナルコンピュータ（ＰＣ）等の情報処理装置を使用すれば、ＣＤ（Compact Disc）、ＤＶＤ（Digital Versatile Disc）等の記録媒体からリッピング、ダビング又はネットワークを介してダウンロードした音楽コンテンツ及び映像コンテンツをハードディスク等の記録媒体に記録して管理することができる。近年では、ＰＣのハードディスクの大容量化も進んできており、ユーザは、膨大なコンテンツをＰＣ等にて管理できるようになってきた。
【０００３】
パーソナルコンピュータ（ＰＣ）は、ＣＤ（Compact Disc）やＤＶＤ（Digital Versatile Disc）等の記録媒体に記録された音楽コンテンツを再生できるようになっているが、音楽再生における付加機能として、例えば、音楽に合わせてグラフィックを表示する“ビジュアライザ”の機能を備えているものもある。この場合、再生時にオーディオデータの周波数解析等を行った分析結果を利用して、音楽に同調して形や色が変わるグラフィック処理を行っている。従来より知られている音を画像に変換する技術としては、曲の各パートの音の動きを基本形状をもつ画像の動きに対応させる手法が知られている（例えば、特許文献１参照。）。
【０００４】
ここでは一例として、音楽コンテンツをファイルとして保存し再生できるコンテンツ再生装置について示す。この装置は、当然のことながらグラフィックを表示するための表示部を備えている。図６には、コンテンツ再生装置１００における音楽再生の仕組みが模式的に示されている。
【０００５】
コンテンツ再生装置１００は、ＣＤ１０１に記録された音楽データを再生するドライブ１０２と、再生された音楽データを蓄積するための形式に変換するエンコーダ１０３と、音楽データが蓄積されるＨＤＤ（ハードディスクドライブ）１０４と、ＨＤＤ１０４に蓄積された音楽データを復号するデコーダ１０５と、デコードされた信号に対して周波数解析等を行う分析処理部１０６と、解析された音楽データを出力するための音響再生処理部１０７と、Ｄ／Ａ変換回路１０８と、スピーカ１０９とを備えている。また、分析結果に応じて表示画像のパラメータを生成するビジュアライザ１１０と、画像を出力するため画像再生処理部１１１と、表示デバイスドライバ１１２と、表示パネル１１３とを備えている。これらは、制御部１１４によって統括制御されている。
【０００６】
このコンテンツ再生装置１００は、ＣＤ１０１より入力された音楽データをエンコーダ１０３によりＨＤＤ１０４に記録する形式に変換し、一般的には、同時に音楽データ分析情報の圧縮を行う。音楽データは、コンテンツファイルとしてＨＤＤ１０４に保存される。再生の際には、ＨＤＤ１０４に記録されたコンテンツファイルをデコーダ１０５にて音楽データに伸長する。デコーダ１０５にて伸長された音楽データは、音響再生処理部１０７と分析処理部１０６とに送られる。分析処理部１０６に送られた音楽データは、分析された後、ビジュアライザ１１０へ送られる。ビジュアライザ１１０は、分析結果に基づいて音楽データに合わせたグラフィックを生成し、映像再生処理部１１１へ送る。映像再生処理部１１１は、表示デバイスドライバ１１２を介して表示パネル１１３に音楽データに合わせたグラフィックを表示する。
【０００７】
さらに近年では、関節物体の動作を記録する動作データベースと、音程を検出する音程検出部と、音量を検出する音量検出部と、動作データベースから動作データを取り出して動作を生成する動作生成部とを備え、音楽データの音量や音程の変化に応じて、特許文献１に示された技術よりも、さらに具体性をもった画像を音楽に同調して動かすようにした音楽画像変換装置も提案されている（例えば、特許文献２参照。）。
【０００８】
ところが、音楽再生処理に伴って行われるグラフィック処理には、リアルタイム性が要求されるため、この再生装置の処理能力によっては、映像と音に時間的なずれが起きたり、音切れ等が起こることがある。従来は、これを防ぐために、特に、デコーダ１０５、分析処理部１０６、ビジュアライザ１１０がソフトウェアとして実装されている場合、これらの処理は、制御部１１４の処理能力にて十分賄うことのできる程度の処理量に押さえる必要があった。そのため、比較的軽い分析処理しか行うことができず、得られる分析情報も限られたものであった。特に、分析処理は、一般的に処理量が多く、グラフィック処理を複雑にしようとして周波数解析等の分析処理を重くすると、ＰＣの性能にもよるが、再生される音声に対するグラフィックの遅延が生じるため、グラフィックを音楽に同期することが難しく、音が途切れるトラブルが生じる場合もあった。また、音楽コンテンツ再生時に実行される処理が増えるため、音楽再生処理にも影響を与えることがあった。
【０００９】
【特許文献１】特開昭６３−１８４８７５号公報
【特許文献２】特開平８−２９３０３９号公報
【発明の開示】
【発明が解決しようとする課題】
【００１０】
本発明は、上述した従来の実情に鑑みてなされたものであり、音楽再生時の付加機能の１つとして音楽に合わせた画像を表示する機能を有する装置において、再生時の情報処理量を削減しつつ、より複雑な画像処理を可能にするオーディオデータ記録装置及びオーディオデータ記録方法、並びにオーディオデータ再生装置及びオーディオデータ再生方法を提供することを目的とする。
【課題を解決するための手段】
【００１１】
本発明に係るオーディオデータ記録装置は、音楽データを入力する入力手段と、入力した音楽データを分析して音楽データ分析情報を抽出する音楽データ分析手段と、音楽データを蓄積する音楽データ蓄積手段と、音楽データより抽出された音楽データ分析情報を記憶する分析情報記憶手段とを備えることにより、音楽データ分析手段において音楽データの特徴を表す音楽データ分析情報を抽出し、音楽データ蓄積手段に音楽データを蓄積し、分析情報記憶手段に音楽データ分析情報を記録する。このオーディオデータ記録装置は、記録媒体に記録された音楽データを再生する再生手段を備え、音楽データ分析手段は、再生手段にて再生される音楽データから音楽データ分析情報を抽出する。また、ネットワークに接続するネットワーク接続手段を備え、ネットワークを介して取得される音楽データに対して、音楽データの分析が行われる場合もある。
【００１２】
本発明に係るオーディオデータ記録装置に対応する記録方法は、音楽データを入力する入力工程と、入力した音楽データを分析して音楽データ分析情報を抽出する音楽データ分析工程と、音楽データを音楽データ蓄積手段に蓄積する音楽データ蓄積工程と、音楽データより抽出された音楽データ分析情報を分析情報記憶手段に記憶する記憶工程とを有する。
【００１３】
本発明に係るオーディオデータ再生装置は、音楽データを蓄積する音楽データ蓄積手段と、音楽データを再生する音楽データ再生手段と、音楽データより抽出された音楽データ分析情報が記憶された分析情報記憶手段と、音楽データに合わせて画像を表示する画像表示処理手段と、音楽データ分析情報に応じて画像の画像情報を変化させる画像再生制御手段とを備えることにより、再生される音楽データに合わせて画像表示をし、音楽データの特徴を表す音楽データ分析情報に応じて表示される画像の画像情報を変化させる。
【００１４】
また、本発明に係るオーディオデータ再生装置に対応する再生方法は、音楽データ蓄積手段に蓄積された音楽データを再生する工程と、再生される音楽データに合わせて画像を表示する画像表示工程と、音楽データより抽出され分析情報記憶手段に記憶された音楽データ分析情報に応じて画像の画像情報を変化させる画像再生制御工程とを有する。
【００１５】
また、オーディオデータ再生装置の別の形態として、外部にて予め分割された音楽データと音楽データ分析情報とを入力する入力手段と、音楽データを再生する音楽データ再生手段と、音楽データに合わせて画像を表示する画像表示処理手段と、音楽データ分析情報に応じて画像の画像情報を変化させる画像再生制御手段とを備える。この場合、オーディオデータ再生装置にネットワークに接続するネットワーク接続手段を設け、音楽データ及び音楽データ分析情報をネットワークを介して取得する。
【００１６】
このオーディオデータ再生装置の別形態に対応する再生方法は、音楽データと該音楽データを分析して得られた音楽データ分析情報とを入力する入力工程と、音楽データを再生する音楽データ再生工程と、音楽データに合わせて画像を表示する画像表示工程と、音楽データ分析情報に応じて画像の画像情報を変化させる画像再生制御工程とを有する。
【００１７】
また、本発明に係るオーディオデータ記録再生装置は、音楽データを入力する入力手段と、入力した音楽データを分析して音楽データ分析情報を抽出する音楽データ分析手段と、音楽データを蓄積する音楽データ蓄積手段と、音楽データより抽出された音楽データ分析情報を記憶する分析情報記憶手段と、音楽データを再生する音楽データ再生手段と、音楽データに合わせて画像を表示する画像表示処理手段と、音楽データ分析情報に応じて画像の画像情報を変化させる画像再生制御手段とを備えることにより、音楽データ分析手段において音楽データの特徴を表す音楽データ分析情報を抽出し、音楽データ蓄積手段に音楽データを蓄積し、分析情報記憶手段に音楽データ分析情報を記録する。このオーディオデータ記録再生装置は、記録媒体に記録された音楽データを再生する再生手段を備え、音楽データ分析手段は、再生手段にて再生される音楽データから音楽データ分析情報を抽出する。また、ネットワークに接続するネットワーク接続手段を備え、ネットワークを介して取得される音楽データに対して、音楽データの分析が行われる場合もある。
【００１８】
また、この方法としては、音楽データを入力する入力工程と、入力した音楽データを分析して音楽データ分析情報を抽出する音楽データ分析工程と、音楽データより抽出された音楽データ分析情報を分析情報記憶手段に記憶する記憶工程と、音楽データを音楽データ蓄積手段に蓄積する音楽データ蓄積工程と、音楽データを再生する音楽データ再生工程と、音楽データに合わせて画像を表示する画像表示工程と、音楽データ分析情報に応じて画像の画像情報を変化させる画像再生制御工程とを有する。
【００１９】
特に、本発明では、音楽データ分析情報は、音楽のテンポ、小節区切り、時間的区切り、及び特徴的な周波数情報の少なくとも１つを含み、また、音楽データに時間的区切り位置及び特徴周波数位置に指標となる情報を付加して分析情報記憶手段に記憶される。
【発明の効果】
【００２０】
本発明によれば、一般的に処理量の多い音楽分析処理をコンテンツファイルを作成する段階で行うことにより、分析処理と同時に再生していた従来の方法よりも、より複雑な分析を行うことができ、再生時の処理量を削減することができる。これにより、再生時の音切れ等のトラブルも防げる。また、楽曲のテンポ等の楽曲情報を抽出して保存しておくことにより、楽曲の特徴によるコンテンツ分類もできエンターテインメント性が向上し、ユーザに対して新しいサービスを提案できる。
【発明を実施するための最良の形態】
【００２１】
本発明は、音楽再生時の付加機能の１つとして音楽に合わせた画像を表示する機能を有する装置において、従来のように音楽データの再生処理とともに音楽データを分析するのではなく、音楽データを装置内の記録媒体に音楽コンテンツファイルとして蓄積する際、音楽データ分析情報を作成することにより、再生時の情報処理量を削減しつつ、より複雑な画像処理を行うことを可能にした。音楽データ分析情報には、楽曲のテンポ（ＢＰＭ）、楽曲中の小節の変わり目等の時間的特徴位置（キーポイント）、ベースラインやシンバルのような特徴的な周波数情報等が含まれている。この音楽データ分析情報は、予め分析して音楽データと分離して用意しておき、ネットワーク等を利用して音楽配信を行う場合に音楽ファイルとともに配布することもできる。
【００２２】
以下、本発明の具体例として示すオーディオデータ記録再生装置について図面を参照して詳細に説明する。図１にオーディオデータ記録再生装置１を示す。
【００２３】
オーディオデータ記録再生装置１は、記録媒体２に記録された音楽データを再生するドライブ１１と、ネットワーク３に接続するためのネットワークインターフェイス（Ｉ／Ｆ）１２とを備え、外部から音楽データを取得できるようになっている。
【００２４】
また、オーディオデータ記録再生装置１は、再生された音楽データを蓄積するための形式に符号化するエンコーダ１３と、符号化された音楽データが音楽ファイルとして蓄積されるＨＤＤ（ハードディスクドライブ）１４と、音楽データに周波数解析等を施して分析して楽曲のテンポ（ＢＰＭ）、楽曲中の小節の変わり目等の時間的特徴位置（キーポイント）、ベースラインやシンバルのような特徴的な周波数情報等を含む音楽データ分析情報を抽出する音楽データ分析部１５と、分析の結果得られた音楽データ分析情報を記憶する分析情報記憶部１６とを備えている。
【００２５】
さらに、オーディオデータ記録再生装置１は、音楽再生及び音楽再生に合わせて画像を再生するための構成として、ＨＤＤ１４に蓄積された音楽データを復号するデコーダ１７と、音楽データを出力するための音響再生処理部１８と、Ｄ／Ａ変換回路１９と、スピーカ２０とを備えている。また、音楽データ分析情報に応じて表示する画像の画像情報（パラメータ）を変化させるビジュアライザ機能を備えた画像再生制御部２１と、画像を出力するための処理を行う画像再生処理部２２と、表示デバイスドライバ２３と、表示部としての液晶表示パネル（ＬＣＤ）２４とを備えている。これらの各構成は、ＣＰＵ、処理プログラム等が格納されたＲＯＭ及びＣＰＵの作業領域としてのＲＡＭを備える制御部２５によって統括制御されている。
【００２６】
このオーディオデータ記録再生装置１は、音楽コンテンツをＣＤ（Compact Disc）、ＤＶＤ（Digital Versatile Disc）等の記録媒体から情報処理装置に内蔵されたＨＤＤ１４にリッピング若しくはダビングして管理する、また、いわゆるインターネットのようなネットワークを用いた音楽配信サービス（ＥＭＤ：Electronic Music Distribution）等によって提供された音楽コンテンツを管理することができる。
【００２７】
エンコーダ１３における符号化処理としては、例えば、ＤＰＣＭ（Differential Pulse Code Modulation）、ＡＤＰＣＭ（Adaptive Differential Pulse Code Modulation）、ＡＴＲＡＣ（Adaptive TRansform Acoustic Coding）（登録商標）規格、ＭＰＥＧ（Moving Picture Experts Group）／Audio規格のオーディオ信号符号化等、汎用の高能率符号化が使用できる。本具体例では、ＡＴＲＡＣを使用する。
【００２８】
また、図１において、記録媒体２としては、ＣＤ−ＲＯＭ、ＣＤ−Ｒ（Compact Disc-Recordable）、ＣＤ−ＲＷ（Compact Disc-Rewritable）、さらに、より大きな記憶容量を実現したＤＶＤ、また、ＤＶＤに対して記録可能としたＤＶＤ−Ｒ、ＤＶＤ＋ＲＷ、ＤＶＤ−Ｒ／Ｗを含む。ここでは、ＣＤである。また、ネットワーク３は、無線若しくは有線によって接続されるＬＡＮ（Local Area Network）、いわゆるインターネットのようなネットワークが挙げられる。
【００２９】
このオーディオデータ記録再生装置１は、記録媒体２より入力した、又はネットワーク３より入力した音楽データをエンコーダ１３によりＡＴＲＡＣ形式により圧縮しコンテンツファイルとしてＨＤＤ１４に保存する。このとき、音楽データ分析部１５にて音楽データ分析情報の分析を行い、分析結果を分析情報記憶部１６に分析情報保存ファイルとして保存する。なお、分析情報記憶部１６とＨＤＤ１４とは個別に用意されていなくてもよい。例えば、分析情報記憶１６は、ＨＤＤ１４上に仮想的に設けられる記憶領域であってもよい。
【００３０】
再生の際にはＨＤＤ１４に記録されたコンテンツファイルがデコーダ１７にて復号され、デコーダ１７で復号された音楽データは、画像再生制御部２１へ送られる。画像再生制御部２１は、音楽データに関連付けられて分析情報記憶部１６に記憶された音楽データ分析情報に基づいて画像情報を生成し映像再生処理部２２へ送る。映像再生処理部２２は、音楽データと同期をとりながら、音楽データ分析情報に基づいて生成された画像情報によって画像を再生するための再生処理を行う。これにより、音楽データに合わせたグラフィックが表示デバイスドライバ２３を介して表示パネル２４に表示される。
【００３１】
次に、音楽データの分析について説明する。ＡＴＲＡＣは、ディジタルオーディオ信号を一定時間毎に区切られる符号化ユニットに区切り、区切られた１ユニット中の信号波形から直交変換により波形成分の分布を調べ、聴感上不必要なレベルの信号を排除して、聴感上必要なレベルの信号のみを１ユニットに対して０．３Ｍｂｉｔ分抽出することでデータ量を合理化する符号化方法である。音楽データ分析部１５では、音楽データの分析にエンコーダ１３にて音楽データを符号化する際に得た情報を使用することができる。
【００３２】
楽曲のテンポは、例えば、音響信号の特性の激しい変化（アタック音）を音響信号の立ち上がり又は立ち下がりによって検出することによって求める。楽曲のテンポは、このアタック音のように特徴的に抽出される音響信号の周期とコンテンツの時間情報とから算出することができる。また、ベースラインやシンバルのような特徴的な信号特性をもつ周波数情報等もアタック音として抽出される。この音楽データ分析情報は、予め分析して音楽データと分離して用意しておき、ネットワーク等を利用して音楽配信を行う場合に音楽ファイルとともに配布することもできる。
【００３３】
１楽曲内でテンポが変化する場合には、変化する時間位置がテンポともに抽出される。図２に、分析情報ファイルとして抽出される音楽データ分析情報の１つであるテンポ情報が示されている。この分析情報ファイルが各コンテンツに対応して記憶されている。
【００３４】
また、音楽データ分析情報には、このほかに楽曲中の小節区切り及び時間的区切りがある。小節区切り及び時間的区切りは、音楽再生時の付加機能を実現するために利用することができる情報である。本具体例では、小節区切り及び時間的区切り（キーポイント）は、図３に示すようにして決めている。
【００３５】
例えば、ＡＴＲＡＣに基づく本具体例では、ディジタルオーディオ信号を一定期間Ｔ１中の信号を直交変換し波形成分の分布を調べる。また別の期間Ｔ２に対して同様の処理をし、波形成分の分布を調べる。この任意２期間に対して、さらに所定の周波数帯について特徴周波数スペクトルの和（ｘ１ｏｒ２＝Σ（特徴周波数スペクトル））を求め、両者を比較する。これが閾値Ａより大の場合、音響信号変化が特徴的であるとして、キーポイントであるとする（式（１））。また、上述したアタック音として抽出された特徴的な音響信号は、そのままキーポイントとして抽出されるようになっている。
【００３６】
｜ｘ１−ｘ２｜＞Ａ  ・・・（１）
【００３７】
ただし、この一定区間は、小節区切り及び時間的区切り（キーポイント）をみるうえでは、符号化ユニットに必ずしも対応していなくてもよい。音楽データ分析部１５は、音楽データに時間的区切り位置及び特徴周波数位置に指標となる情報を付加して分析情報記憶部１６に記憶している。
【００３８】
以上のようにして分析された音楽データ分析情報は、音楽データに対応付けられて分析情報ファイルとして分析情報記憶部１６に保存される。
【００３９】
図４には、分析情報記憶部１６に記憶された音楽データの分析情報ファイルが示されている。このように音楽データ分析情報を保存したファイルを音楽データに対応付けて記憶することによって、音楽データ分析情報に基づいてコンテンツを分類することができる。例えば、図４に示すように、分析の結果として抽出されたテンポが１３２ＢＰＭであった曲同士を同一カテゴリＡのように分類することができる。この結果、“アーティスト”、“ジャンル”等による分類以外に“テンポ”による分類ができる。例えば、データフォーマットの一部にテキストデータ等によって、コンテンツ情報に対する付加情報を記述する手法もあるが、本具体例では、音楽データから直接抽出した分析情報に基づいて分類できるため、再生時にユーザに新しい音楽の楽しみ方を提案できる。
【００４０】
一例として、同一テンポのカテゴリに分類されたコンテンツをクロスフェードにより繋ぎ再生することで曲間で途切れることなく連続再生することができる。また、この動作に加えてクロスフェードにて画像の繋ぎも行えば、楽曲の切り換えに画像を同期させることができる。
【００４１】
また、音楽データ分析情報に上述したキーポイントが付加されている場合には、キーポイントにて再生画像を変更する処理を行えば、音楽データを再生するだけで、このキーポイント位置にて画像表示を切り換えたり画像に対して所定の処理を行ったりできる。これにより、音楽データが再生されると、音楽データに基づいて予め編集されたかのような画像が低負荷の処理量で表示できる。
【００４２】
次に、本発明の別の具体例について、図５を用いて説明する。これは、ネットワークを介して送られる音楽コンテンツをオーディオデータ記録再生装置１にてストリーミング再生する例である。図５に示すように、音楽コンテンツの音楽データ及びこの音楽データに関する音楽データ分析情報は、サーバ４において分析情報ファイルとして予め用意されている。サーバ４は、例えば、オーディオデータ記録再生装置１におけるエンコーダ１３と音楽データ分析部１５に相当する構成を備え、上述と同様の処理を行えば、各音楽コンテンツの音楽データ分析情報を抽出することができる。サーバ４は、ネットワーク３を介してオーディオデータ記録再生装置１から配信要求があった音楽コンテンツの音楽データ及び分析情報ファイルをオーディオデータ記録再生装置１に送信する。このとき、サーバ４は、音楽データよりも前に分析情報ファイルを送信する。
【００４３】
したがって、本具体例では、送信される音楽データを逐次再生すると同時にサーバ４にて用意された音楽データ分析情報を使用して処理された画像を音楽データに同期して再生することができるため、再生時のオーディオデータ記録再生装置１での処理が大幅に低減される。音楽データ分析情報を音楽データ本体から予め分離して用意し提供することは、ストリーミング配信のみならず、ＣＤやＤＶＤ等の記録媒体にて音楽データを提供する場合であっても適用することができる。
【００４４】
また、上述したように音楽データ分析情報にキーポイントが付加されている場合には、例えば、分析情報ファイルに示されたテンポの変化点やキーポイントに応じて、指定されたＵＲＬにアクセスして画像データを取得して次なるキーポイントにて表示するような画像表示や画像に対して所定の処理が行える。これにより、音楽データが再生されると、音楽データに基づいて予め編集されたかのような画像が低負荷の処理量で表示できる。
【００４５】
以上説明したように、オーディオデータ記録再生装置１によれば、一般的に処理量の多い音楽データの分析処理を音楽コンテンツファイルを作成する段階で行うことにより、分析処理と同時に再生していた従来の方法よりも、より複雑な分析処理を行うことができる。また、オーディオデータ記録再生装置１では、再生時には分析処理を行わないため、コンテンツ再生時の処理量を大幅に低減することができる。これにより、処理量が増大することによって生じる再生時の音切れ等のトラブルも防げる。また、楽曲のテンポ等の楽曲情報を抽出して保存しておくことにより、楽曲の特徴によるコンテンツ分類もでき、この分類によって種々のコンテンツ選択のしかた及び再生のしかたに応用でき、エンターテインメント性が向上する。
【産業上の利用可能性】
【００４６】
本発明は、記録媒体への記録段階にて抽出した音楽データの特徴を表す音楽データ分析情報に同期して付加機能を動作させる用途であれば適用できる。例えば、スライド機能を使用して写真データを表示する場合、写真を切り換えるタイミングを抽出した音楽データの特徴点に合わせることで写真切換にかかる処理を低減するとともに、音楽に合って自然でスムーズな写真切換処理が実現できる。
【図面の簡単な説明】
【００４７】
【図１】本発明の具体例として示すオーディオデータ再生装置を説明する構成図である。
【図２】分析情報ファイルとして抽出される音楽データ分析情報の１つであるテンポ情報を説明する図である。
【図３】オーディオデータ記録再生装置において小節区切り及び時間的区切り（キーポイント）の抽出例を説明する図である。
【図４】分析情報記憶部に記憶された分析情報ファイルの例を模式的に示した図である。
【図５】ネットワークを介して送られる音楽コンテンツをオーディオデータ記録再生装置にてストリーミング再生する例を説明する模式図である。
【図６】従来のコンテンツ再生装置を説明する構成図である。
【符号の説明】
【００４８】
１    オーディオデータ記録再生装置，  ２    記録媒体，  ３    ネットワーク，
１１    ドライバ，  １２    ネットワークＩ／Ｆ，  １３    エンコーダ，
１４    ＨＤＤ，  １５    音楽データ分析部，  １６    分析情報記憶部，
１７    デコーダ，  １８    音響再生処理部，  １９    Ｄ／Ａ変換回路，
２０    スピーカ，  ２１    ビジュアライザ，  ２２    画像再生処理部，
２３    表示デバイスドライバ，  ２４    液晶表示パネル，  ２５    制御部
【図１】
2005122664.tif 000003
【図２】
2005122664.tif 000004
【図３】
2005122664.tif 000005
【図４】
2005122664.tif 000006
【図５】
2005122664.tif 000007
【図６】
2005122664.tif 000008